(57)【要約】      （修正有）【課題】可動シンカーに頼らずに、表糸と添糸の割当を変更できるプレーティング編成方法を提供する。【解決手段】プレーティング編成方法において、歯口へ向けて前進した針を後退させる引き込みルートを、通常の第1のルートと、第1のルートから分岐し、第１のルートよりも速やかに針を後退させた後に第１のルートに合流する、第２のルートの２種類設け、第１の針を第２のルートで移動させ、次の第２の針を第１のルートで移動させ、この時、先行の給糸口からの第１の糸と、後行の給糸口からの第２の糸を、第２の針のシャンクによりガイドし、ニードルベッドの針以外の部材に接触させることによって、第１の針のフック内での第１の糸と第２の糸の順序が反転し、プレーティング編成での表糸と添糸の割当が反転する編成方法。【選択図】図３
2018178287.tif 000002
【特許請求の範囲】
【請求項１】
複数の針を備えるニードルベッドを有する横編機を用い、
針は先端のフックとフックより後方にありフックよりも肉厚のシャンクとを備え、
歯口へ向けて前進したニードルベッドの針を後退させる引き込みルートを、第1のルートと、第1のルートから分岐し、第１のルートよりも速やかに針を歯口から後退させ、かつ第１のルートに合流する第２のルートの２種類設け、
第１のルートでは、先行の給糸口からの第１の糸が表糸、後行の給糸口からの第２の糸が添糸となるように、プレーティング編成し、
第２のルートでは、第２の糸が表糸、第１の糸が添糸となるようにプレーティング編成する、プレーティング編成方法において、
前記ニードルベッドの第１の針を第２のルートで移動させ、第１の針の次の第２の針を第１のルートで移動させることにより、第２の針のシャンクにより第１の糸と第２の糸をガイドして、前記ニードルベッドの第１の針と第２の針の中間に設けられている、針以外の部材に接触させ、かつ
前記針以外の部材との接触により、第１の針のフック内での第１の糸と第２の糸の順序を反転させることにより、第２の糸が表糸、第１の糸が添糸となる編目を、第１の針で編成する編目と第２の針で編成する編目とから編成することを特徴とする、プレーティング編成方法。
【請求項２】
第１の針と第２の針の中間に、針でも前記針以外の部材でもない他の部材を進出させることにより、第１の糸と第２の糸を前記他の部材に載せ、かつ
前記他の部材を介して、第１の糸と第２の糸を、前記針以外の部材に接触させることを特徴とする、請求項１のプレーティング編成方法。
【請求項３】
第１のルートと第２のルートが合流した後に、さらに針を歯口から後退させることを特徴とする、請求項１または２のプレーティング編成方法。
【請求項４】
第１の給糸口よりも第２の給糸口を、前記ニードルベッドから遠い側に配置することを特徴とする、請求項１〜３のいずれかのプレーティング編成方法。
【請求項５】
第２の針に続いて、１本ないし複数本の第３の針を第２のルートで移動させることにより、第３の針で、第２の糸が表糸、第１の糸が添糸となる編目を編成し、かつ
第３の針の次の第４の針を第１のルートで移動させると共に、第４の針の次の第５の針を第１のルートで移動させることにより、第５の針で編成する編目から表糸と添糸の割当の反転を解消することを特徴とする、請求項１〜４のいずれかのプレーティング編成方法。
【発明の詳細な説明】
【技術分野】
【０００１】
この発明はプレーテイング編成に関する。
【背景技術】
【０００２】
プレーティング編成では複数の糸を用いて編地を編成し、先行の給糸口からの糸が表糸、後行の給糸口からの糸が添糸となる。そして表糸が編地の表面に表れ、添糸は表糸の背後に隠れる。また表糸と添糸の割当を変更するには、給糸口の先行／後行の順序を変更する必要がある。通常の横編機は１コースの編成中に給糸口の先行／後行の順序を変更するようにできていないので、１コースの編成中に表糸と添糸の割当を変更することは難しい。
【０００３】
特許文献１（JP2016-176159）では、プレーティング編成で針を歯口から後退させるルートとして、通常のルートの他に、表糸と添糸との割当を反転させる反転用のルートを設ける。反転用のルートでは、通常のルートよりも速やかに針を後退させると共に、針を引き込む過程で、可動シンカーを一旦進出させた後に後退させる。そして可動シンカーとの接触により、表糸と添糸の割当が変更される。しかしこの方法は、可動シンカーがなければ実行できない。  
【先行技術文献】
【特許文献】
【０００４】
【特許文献１】JP2016-176159
【発明の概要】
【発明が解決しようとする課題】
【０００５】
この発明の課題は、プレーティング編成において、表糸と添糸の割当を変更する新たな方法を提供することにある。
【課題を解決するための手段】
【０００６】
この発明は、複数の針を備えるニードルベッドを有する横編機を用い、
針は先端のフックとフックより後方にありフックよりも肉厚のシャンクとを備え、
歯口へ向けて前進したニードルベッドの針を後退させる引き込みルートを、第1のルートと、第1のルートから分岐し、第１のルートよりも速やかに針を歯口から後退させ、かつ第１のルートに合流する第２のルートの２種類設け、
第１のルートでは、先行の給糸口からの第１の糸が表糸、後行の給糸口からの第２の糸が添糸となるように、プレーティング編成し、
第２のルートでは、第２の糸が表糸、第１の糸が添糸となるようにプレーティング編成する、プレーティング編成方法において、
前記ニードルベッドの第１の針を第２のルートで移動させ、第１の針の次の第２の針を第１のルートで移動させることにより、第２の針のシャンクにより第１の糸と第２の糸をガイドして、前記ニードルベッドの第１の針と第２の針の中間に設けられている、針以外の部材に接触させ、かつ
前記針以外の部材との接触により、第１の針のフック内での第１の糸と第２の糸の順序を反転させることにより、第２の糸が表糸、第１の糸が添糸となる編目を、第１の針で編成する編目と第２の針で編成する編目とから編成することを特徴とする。
【０００７】
第１の針を第２のルートで移動させ、第１の針の次の第２の針を第１のルートで移動させると、第１の針のフックが第１及び第２の糸を捕捉した際に、第２の針は歯口側へ大きく進出している。このため第１の糸と第２の糸は、第２の針のシャンクにガイドされ、ヤーンガイド等のニードルベッドの針以外の部材と接触する。そしてこれによって、第１の針のフック内での第１の糸と第２の糸の順序が反転し、第１の針で編成する編目と第２の針で編成する編目とから、表糸と添糸の割当が反転する。この反転には可動のシンカーを要しない。なお可動のシンカーを反転に用いることを排除するものではない。また針は先端にフックがあり、フックよりも後方で針が肉厚になる部分がシャンクである。  
【０００８】
針以外の部材は、好ましくはニードルベッドの先端側（歯口中心側）が下で、ニードルベッドの基端側（歯口中心から離れる側）が上となるように傾斜した傾斜部を備えている。そして傾斜部上では、第1の糸が上側に、第2の糸が下側に位置し、これに伴って第１の針のフック内では、第１の糸と第２の糸の順序が反転する。針以外の部材は、ニードルベッドの針と針の間に設けられ、例えば、ヤーンガイドであるが、シンカーなどでも良い。またプレーティングでの表糸／添糸の反転専用の部材を新たに設けても良い。
【０００９】
好ましくは、第１の針と第２の針の中間に、針でも前記針以外の部材でもない他の部材を進出させることにより、第１の糸と第２の糸を前記他の部材に載せ、かつ
前記他の部材を介して、第１の糸と第２の糸を、前記針以外の部材に接触させる。
【００１０】
前記他の部材に第1の糸と第２の糸を載せると、第２の針のシャンクから針以外の部材の傾斜部への糸の受け渡しがよりスムーズになり、表糸と添糸の割当をより確実に反転させることができる。他の部材は、第1の針と第2の針の間に進出して、針以外の部材へ糸を受け渡すことができる部材である。例えばループプレッサ（JP4102430）であるが、トランスファージャック（JP2995464）などの公知の部材を兼用しても良く、形状及び操作カム等を改良して、所望の動作ができるようにする。またプレーティングでの表糸／添糸の割当を反転するための専用部材を設けても良い。他の部材は、例えば歯口を挟んでニードルベッドと対向するベッドから進退するが、同じ側のベッドから進退しても良く、また第1の針と第2の針等が属するニードルベッドから進退しても良い。
【００１１】
好ましくは、第１のルートと第２のルートが合流した後に、さらに針を歯口から後退させるように、針の引込みルートを構成する。仮に、第１のルートと第２のルートが合流した時点で、第２のルートでの針の後退が完了しているとする。この場合、第１の針は後退を終了して、給糸口から糸を引き出さなくなっている状態で、第１の針よりも先行しかつ第1のルートで後退する針は、糸を引き込んで編目を大きくしようとする。すると、第１の針が保持している編目で、糸切れが生じることがある。第１のルートと第２のルートが合流した後に、さらに第１の針を歯口から後退させると、第１の針も糸を引き出して編目を大きくしようとするので、糸切れは生じ難い。  
【００１２】
好ましくは、第１の給糸口よりも第２の給糸口を、前記ニードルベッドから遠い側に配置する。すると、第２の糸と第１の糸の給糸経路がより明確に分かれる。このため、通常のプレーティング編成時に、表糸／添糸の割当通りの編成がより確実に行われる。表糸と添糸の割当の反転時にも、第２の針のシャンク上で表糸と添糸が占める位置の違いがより明確になるので、表糸／添糸の反転をより確実に実現できる。
【００１３】
好ましくは、第２の針に続いて、１本ないし複数本の第３の針を第２のルートで移動させることにより、第３の針で、第２の糸が表糸、第１の糸が添糸となる編目を編成し、  かつ、第３の針の次の第４の針を第１のルートで移動させると共に、第４の針の次の第５の針を第１のルートで移動させることにより、第５の針で編成する編目から表糸と添糸の割当の反転を解消する。
【００１４】
第４の針と第５の針を共に第１のルートで移動させると、1本目の第４の針のフックでは表糸と添糸の割当は反転したままである。しかし2本目の第５の針から表糸と添糸の割当が、通常に復帰する。このように、１コースの編成の途中で表糸と添糸の割当を元に復帰させることができる。
【図面の簡単な説明】
【００１５】
【図１】横編機のカムに対して針が移動するルートを示す図
【図２】プレーティング編成での通常領域と反転領域とを模式的に示す図
【図３】通常領域から反転領域への移行時の針のルートを示す図
【図４】表糸と添糸の割当を変更する際の、糸と針とヤーンガイドとを示す図
【図５】針のシャンクによる糸のガイドを示す図
【図６】傾斜部に第１の糸と第２の糸が載った状態を示す図
【図７】反転領域から通常領域への移行時の針のルートを示す図
【図８】反転領域から通常領域へ復帰した際の表糸と添糸を示す図
【図９】ループプレッサを用いての、通常領域から反転領域への移行を示す図
【図１０】ループプレッサにより糸をガイドし、表糸と添糸の割当を反転させた状態を示す図
【図１１】先行の給糸口と後行の給糸口とでの、糸の仰角の違いを示す図
【図１２】添糸用の給糸口を反対側のニードルベッドへ寄せた状態を示す要部平面図
【図１３】添糸用の給糸口を反対側のニードルベッドへ寄せた状態を示す要部側面図
【発明を実施するための形態】
【００１６】
以下に、発明を実施するための最適実施例を示す。
【実施例】
【００１７】
図１〜図１３に、実施例のプレーティング編成方法を示す。図１は、横編機のカムに対して針（編針）が移動するルートを示す。なお横編機は多数の針を平行に配置したニードルベッドを例えば一対以上備え、キャリッジのカムシステム２により、針はニードルベッドから歯口へ前進した後に後退するように操作される。図１ではキャリッジは図の右から左へ移動し、針はカムシステム２に対し図１の左から右へ移動する。ただしカムシステム２を設けず、針毎にリニアモータを設けて、針を前進及び後退させても良い。また図１の上側へ移動することが前進、下側へ移動することが後退である。
【００１８】
４は選針装置で、針（編針）のバットを電磁石の磁極５により操作することにより、針を選択する。カムシステム２は、上昇カム６とスチッチカム８，ハーフカム１２，プレッサ１４等を備えている。針は上昇カム６の上側の溝１０等にガイドされてルートCを移動し、上昇カム６の最上部を通過すると、針を歯口からニードルベッド内へ引き込む引込みルートＣｂに沿って移動する。引き込みルートＣｂは、通常のルートＨと反転用のルートＡの２つのルートに分岐した後に、合流位置Ｍで合流し、針を最もニードルベッド側へ引き込む度決め位置Ｄを通過する。ルートＡでは、ルートＨに比べ、針を速やかに歯口からニードルベッド側へ引き込む。また度決め位置Ｄで編目の大きさが定まり、ルートＡでもルートＨでも、編目の大きさは同じである。
【００１９】
プレッサ１４により針がルートＨを移動できるようにする。プレッサ１４の影響を受ける針は、スチッチカム８の側面等にガイドされながら、ルートＨを移動し、プレッサ１４の影響を受けない針はルートＡを移動する。そしてルートＡ，Ｈは、針毎に例えば選針装置４で選択する。
【００２０】
図２はプレーティング編成での通常領域（Normal）と反転領域（Inversion）とを模式的に示し、キャリッジは図２の右から左へ移動する。先行の給糸口２０から第１の糸２１を、後行の給糸口２２から第２の糸２３を、ニードルベッドの針へ給糸して編目を形成する。通常領域の編目（実線）は、先行の給糸口２０の第１の糸２１が表糸、後行の給糸口２２の第２の糸２３が添糸となり、反転領域の編目（破線）は表糸と添糸の割当が逆転し、後行の給糸口２２からの糸２３が表糸、先行の給糸口２０からの糸２１が添糸となる。図２では反転領域の長さを６目としているが、２目以上の任意の長さにでき、任意の位置で通常領域から反転領域に変更できる。また反転領域の長さが２目以上であれば、任意の位置で反転領域から通常領域に復帰できる。
【００２１】
図３は通常領域から反転領域への移行時の針のルートを示し、キャリッジは図の右から左へ移動し、図の上側への移動が歯口への前進、下側への移動がニードルベッドへの後退である。２４は針で、先端にフックを備え、ここではベラ針であるが、複合針などの他の針でも良い。２５はヤーンガイドで、図示しないニードルベッドに固定され、通常のルートHで針２４を引き込む際に、糸をガイドする。２６は可動あるいは固定のシンカーである。また針２４，２４間にヤーンガイド２５とシンカー２６とがある。  
【００２２】
針２４はルートＣに沿って移動し、引込みルートＣｂの途中で通常のルートＨと反転用のルートＡに分岐し、度決め位置Ｄに達する前に合流位置Ｍで合流する。度決め位置Ｄの前でルートＡ，Ｈを合流させることには、後述のように糸切れを防ぐ効果がある。
【００２３】
反転区間の最初の針２４ａ（第１の針）はルートＡを、次の針２４ｂ（第２の針）はルートＨを移動し、針２４ａで編成する編目から表糸と添糸の割当が反転する。なおフックに捕捉されるまでは、鉛直方向での位置関係で、通常領域では後行の給糸口２２からの第２の糸２３が上、先行の給糸口２０からの第１の糸２１が下となる。また通常領域のフック内では、糸２１がフックの出口から遠い側（鉛直方向下側）、糸２３が出口に近い側（鉛直方向上側）にある。なお図３では、針２４ａから表糸と添糸の割当が反転し、針２４ｂの位置では糸２１が糸２３の上にある。
【００２４】
図４は針２４ａで表糸と添糸の割当が反転する際の状態を示し、３０はニードルベッド、３２は鉛直面である歯口中心である。２７は針２４のフック、２８は針２４のシャンクで、フック２７よりも後方にあり、針２４の厚さが増している部分である。また２５ｂはヤーンガイド２５の傾斜部で、歯口中心側（図の右側）が下、ニードルベッド側（図の左側で歯口中心から離れる側）が上となるように傾斜している。割当の反転までは、後行の給糸口２２から給糸され水平面からの仰角が大きい後行の糸２３が上に、仰角が小さい糸２１が下になって針に給糸される。なお図４のＦは水平方向を、Ｖは鉛直方向を示す。
【００２５】
針２４ａはルートＡに沿って速やかに後退し、次の針２４ｂはルートＨに沿ってゆっくりと後退する。このため、図４の位置では針２４ａに対し針２４ｂがニードルベッドから大きく進出する。シャンク２８にガイドされることに、針２４ａのフック２７に引かれることが加わって、糸２１，２３は傾斜部２５ｂ上に載り、針２４ａのフック２７内では表糸と添糸の割当が反転する。なお図４，図６では、給糸口２０，２２と傾斜部２５ｂの間の糸２１，２３の位置を模式的に示す。図５に示すように、糸２１，２３は針２４ｂのシャンク２８に接触して、傾斜部２５ｂへガイドされる。
【００２６】
図６では、図４から針２４ａを省略し、シャンク２８からヤーンガイド２５の傾斜部２５ｂへ、糸２１，２３が載った状態を示す。この時、傾斜部２５ｂでは糸２１が上側、糸２３が下側に位置する。針２４ａのフック２７内では、図４のように糸２１，２３が位置して、表糸と添糸の割当が通常領域とは反転する。
【００２７】
一旦表糸と添糸の割当が反転すると、針２４がルートＡを移動する限り、割当の反転が維持される。ルートＡを進む針の次の針が２本続けてルートＨを進む時に、表糸と添糸の割当が通常に戻る。なお針２４ａの次の針が編目を形成しない場合、この針を無視して、次の針を定める。
【００２８】
通常のルートＨに比べ早いタイミングで糸の引き込みを開始する反転用のルートＡでは、一旦反転した表糸／添糸の関係を維持するため、給糸口により近い位置で針のフックにより糸２１，２３を引き込む。この結果、糸２１，２３は、順序が通常とは反転した状態のまま、傾斜部２５ｂ等に載る。このためルートAを針が通る限り、表糸／添糸の反転が維持される。また、表糸／添糸の割当を通常へ復帰させる場合、ルートＡからルートＨへルートを変えればよい。
【００２９】
図７，図８は、反転領域から通常領域への復帰を示し、反転領域の最後の針２４ｃと、通常領域の最初の針２４ｄは共にルートＨに沿って移動し、それらに先行する針２４ｅ，ｆはルートＡに沿って移動する。また、針２４ｃのフック内では糸２３が出口から遠い側、糸２１が出口に近い側にあり、割当が反転している状態が続く。そして図８の状態から針２４ｄが後退すると、フック２７内で糸２１が下、糸２３が上となり、表糸と添糸の割当は通常に復帰する。このように、ルートＨを進む針が連続して２本あると、反転領域から通常領域へ復帰することが判明した。なお次の針は、編目を形成しない針を無視して考える。
【００３０】
図９，図１０は、ループプレッサ３４により通常領域から反転領域への反転を補助する例を示し、反転領域から通常領域への復帰ではループプレッサ３４は不要である。ループプレッサ３４はニードルベッド３０と対向するベッドから進出し、キャリッジに設けられているループプレッサ用のカムシステムで操作される。Ｌはループプレッサ３４の先端のルートである。図１０に示すように、ループプレッサ３４ａの先端部３４ｂは、ヤーンガイド２５の傾斜部２５ｂと、側面視で交差する位置まで前進する。すると糸２１，２３は、シャンク２８と先端部３４ｂにガイドされ、ヤーンガイド２５の傾斜部２５ｂ上に載り、より確実に表糸／添糸の割当を反転できる。実施例では、ループプレッサ３４が進出し、糸２１，２３に作用している状態で、先端部３４ｂは歯口側が下、ニードルベッド３０側が上となるように傾斜しているが、平坦でも良い。図１０は、ループプレッサ３４ａの他に後続のループプレッサ３４を２本示すが、必要なのは先頭のループプレッサ３４ａで、後続のループプレッサ３４は進出させても進出させなくても良い。
【００３１】
図１１は、ニードルベッドからの正面視での、糸２１，２３を示す。糸２１，２３は同じフックに捕捉されるので、後行の給糸口２２からの糸２３は仰角が大きくなり、先行の給糸口２０からの糸２１は仰角が小さくなる。
【００３２】
図１２，１３では、後行の給糸口２２を歯口中心３２から、対向するニードルベッド３０ｂ側へシフト量Δだけシフトさせる。なお３６は後行の給糸口２２での、ニードルベッド３０の先端に平行な中心線である。すると図１２に示すように、糸２３が歯口中心３２と成す角θ2と、糸２１が歯口中心３２と成す角θ1との差が大きくなり、これに糸２１，２３の仰角の違いが加わる。このため糸２１と糸２３の給糸経路の違いがより大きくなり、通常領域で表糸と添糸の割当がより安定する。また表糸／添糸の割当を反転させる場合でも、シャンク２８上あるいはループプレッサ３４の先端部３４ｂ上に、表糸／添糸が必要な順序で載るため、傾斜部２５ｂ上にも糸２１，２３が必要な順序で載る。このため、表糸と添糸の割当をより確実に反転させることができる。
【００３３】
なお給糸口２２を、歯口中心３２から対向するニードルベッド３０ｂ側へシフトさせるため、ソレノイド等により給糸口２２の位置をシフトさせる機構を設けても良い。しかし給糸口２２をシフトさせる機構を設けず、歯口中心３２よりもニードルベッド３０側にシフトしている給糸口と、ニードルベッド３０ｂ側にシフトしている給糸口とを設けても良い。
【００３４】
実施例では、ニードルベッド３０側で傾斜部２５ｂを備える部材として、ヤーンガイド２５を用いたが、可動あるいは固定のシンカー等を、表糸と添糸の割当の反転に用いても良い。またループプレッサ３４は、糸２１，２３をシャンク２８から傾斜部２５ｂへガイドするように進退自在な任意の部材に変えることができる。実施例では、先行のキャリアに先行の給糸口２０を、後行のキャリアに後行の給糸口２２を設けたが、１つのキャリアに先行と後行の２つの給糸口を設けても良い。
【００３５】
実施例には以下の特徴がある。
1)  ルートＡを移動する針２４ａと、ルートＨを移動する次の針２４ｂにより、表糸と添糸の割当を反転できる。割当の反転には可動シンカーを必要としない。
2)  一度、表糸と添糸の割当が反転すると、ルートＡを針が移動する限り、表糸と添糸の割当は反転したままに保たれる。
3)  ルートＡを移動する針に続いて、ルートＨを移動する針が２本続くと、表糸と添糸の割当が通常の状態に復帰する。
4)  ループプレッサ３４により、より確実に表糸と添糸の割当を反転できる。
5)  図３で合流位置Ｍを通過した後に、ルートＡが度決め位置Ｄを通過するので、針２４ａで糸が切れにくい。仮にルートＡが度決め位置を通過した後にルートＨと合流すると、針２４ａよりも先にルートＨに沿って後退する針により、針２４ａの編目から糸が引き出され、糸切れすることがある。
6)  後行の給糸口２２を歯口中心から対向するニードルベッド３０ｂ側へシフトさせることにより、より確実に表糸と添糸の割当を反転できる。
【符号の説明】
【００３６】
２          カムシステム
４          選針装置
５          磁極
６          上昇カム
８          スチッチカム
１０        溝  
１２        ハーフカム
１４        プレッサ
２０        先行の給糸口（第１の給糸口）
２２        後行の給糸口（第２の給糸口）
２１        第１の糸
２３        第２の糸
２４        針
２４ａ      第１の針
２４ｂ      第２の針
２５        ヤーンガイド
２５ｂ      傾斜部
２６        シンカー
２７        フック
２８        シャンク
３０        ニードルベッド
３０ｂ      対向するニードルベッド
３２        歯口中心
３４        ループプレッサ
３４ｂ      先端部
Ｃ          ルート
Ｃｂ        引込みルート
Ａ          ルート（第２のルート）
Ｈ          ルート（第１のルート）
Ｍ          合流位置
Ｄ          度決め位置
Ｆ          水平方向
Ｖ          鉛直方向
Ｌ          ルート
Δ          シフト量
【図１】
2018178287.tif 000003
【図２】
2018178287.tif 000004
【図３】
2018178287.tif 000005
【図４】
2018178287.tif 000006
【図５】
2018178287.tif 000007
【図６】
2018178287.tif 000008
【図７】
2018178287.tif 000009
【図８】
2018178287.tif 000010
【図９】
2018178287.tif 000011
【図１０】
2018178287.tif 000012
【図１１】
2018178287.tif 000013
【図１２】
2018178287.tif 000014
【図１３】
2018178287.tif 000015